(57)【要約】【課題】  液晶モニタとビデオカメラ本体とを分離してコード線で電気的に接続し、ビデオカメラ本体の位置に関係なく、手元で液晶モニタをモニタしながら撮影や再生を行ったりビデオ操作することができる。【解決手段】  ビデオカメラ１１による撮影画像または再生画像をモニタできるようにした液晶モニタ１３をビデオカメラ本体１２に具えたビデオカメラにおいて、前記液晶モニタ１３と前記ビデオカメラ本体１２とを分離し、コード線１４を用いて電気的に接続してある。また、前記コード線１４はその端部に巻取装置１４ａまたは１４ｂを有していて必要に応じて余分な長さのコード線を巻取装置に巻取って長さを調節することができ、また、前記液晶モニタ１３を具えた分離液晶モニタ部２０に、電源の入切、ズーム操作、その他の撮影操作を行うリモート操作部１８を設けてモニタするとともにビデオ操作も手元で行うことができる。【選択図】  図３
0003106077.tif 000002
【実用新案登録請求の範囲】
【請求項１】
ビデオカメラ（１１）による撮影画像または再生画像をモニタできるようにした液晶モニタ（１３）をビデオカメラ本体（１２）に具えたビデオカメラにおいて、
前記液晶モニタ（１３）と前記ビデオカメラ本体（１２）とを分離し、コード線（１４）を用いて電気的に接続してなることを特徴とするビデオカメラ。
【請求項２】
ビデオカメラ（１１）による撮影画像または再生画像をモニタできるようにした液晶モニタ（１３）をビデオカメラ本体（１２）に具えたビデオカメラにおいて、
前記液晶モニタ（１３）と前記ビデオカメラ本体（１２）とを分離し、コード線（１４）を用いて電気的に接続してなり、
前記コード線（１４）はその端部に巻取装置（１４ａ）または（１４ｂ）を具えて余分な長さのコード線を前記巻取装置に巻取って長さを調節できるようにしてあることを特徴とするビデオカメラ。
【請求項３】
ビデオカメラ（１１）による撮影画像または再生画像をモニタできるようにした液晶モニタ（１３）をビデオカメラ本体（１２）に具えたビデオカメラにおいて、
前記液晶モニタ（１３）と前記ビデオカメラ本体（１２）とを分離し、コード線（１４）を用いて電気的に接続してなり、
前記液晶モニタ（１３）の分離液晶モニタ部（２０）には、電源の入切、ズーム操作、その他の撮影操作を行うリモートスイッチ（１８）を設けてモニタとともにビデオ操作も手元で行えるようにしてあることを特徴とするビデオカメラ。
【考案の詳細な説明】
【技術分野】
【０００１】
本考案は、デジタルビデオカメラ、特に、液晶モニタをビデオカメラから分離してコードで電気的に連結し、手元でモニター できるビデオカメラに関するものである。
【背景技術】
【０００２】
一般のデジタルカメラは、画像を結像させるレンズ、光の情報を電子信号に変換するＣＣＤ撮像素子、電子信号をデジタル信号に変換するアナログーデジタル（ＡＤ）変換器、デジタル信号を加工して画像データに信号処理するＬＳＩ(大規模集積回路)、画像データを保存する外部記憶媒体（記録メディア）、画像データを映す液晶モニタ、画像データをコンピュータやプリンタに送るインターフェイス、暗いところでも映せるストロボ、全体を制御するＣＰＵなどで構成されている。そして、最近は各種のビデオカメラが販売されているが、ビデオカメラ本体にフアインダー部の他に必要に応じて回転させて向きを変えることのできる液晶モニタを有するものが増加している。
【０００３】
図１、２に示した従来のビデオカメラについて説明すると、図１はビデオカメラ本体の側面に取付けた液晶モニタを回動してカメラ本体から離した状態の斜視図、図２は液晶モニタをファインダーに利用して撮影する状態を示す斜視図である。
１はビデオカメラ、２はビデオカメラ本体、３は撮影中の映像や再生時の映像を表示する液晶モニタで、カメラ本体２の一側面に設けた支持部４に回動および傾動できるように取付けてある。ビデオカメラ１には、カセットテープやＤＶＤ（図示せず）などを装着するカセット等の装着部（図示せず）を有しており、また、撮影時にはカメラ本体２の液晶モニタと反対側の下部に撮影者の手を挿入してビデオカメラ本体２を片手で保持できるグリップベルト５を長さ調整可能に設けてある。図中、６はレンズ部、８は撮影及びモニタを操作する操作部、９はファインダー部である。
【０００４】
従来の液晶モニタ３は、支持部４によってカメラ本体２の側面部分に一体的に取付けてあり、図１に示すように矢印Ａ方向に回動させたり、図２に示すように矢印Ｂ方向に回転できるように取付けてあり、必要に応じて液晶モニタ３の方向や角度を変えて撮影しているが、該液晶モニタ３はビデオカメラ本体２に一体的に取付けてあるため、例えば、雑踏現場やスポーツ観戦しながら撮影する場合には、カメラ本体２を片手で持って上方に持ち上げた状態で、前方又は後方の被写体を撮影することができる。そして、その撮影範囲を確認するため、撮影者はカメラ本体２と一体で頭上に位置する液晶モニタ３の角度を調整して、該液晶画面を見上げてモニタしながら撮影するため、姿勢が窮屈なため長い時間撮影することは困難であった。
【０００５】
また、カメラ本体２に伸縮可能な三脚又は一脚からなる脚部７の一端を連結し、人ごみの中で撮影する場合、カメラ本体２を上方に持ち上げて人々の頭上に位置させると、撮影ポジションとしては良好な位置を得ることができ、その状態を保つことは楽になるがカメラ本体２も液晶モニタ３も撮影者の位置から上方に離れており、撮影者が頭上を見上げて撮影を続けるという無理な姿勢を維持しなければならないという欠点があった。その場合、足元を見ることができないため、例えば歩行しながら撮影する場合には補助者がいないと撮影は危険であった。
【特許文献１】特開平０７−５７８３３号公報
【特許文献２】特開平１０−６５９４６号公報
【特許文献３】特開２００１−６９３７６号公報
【考案の開示】
【考案が解決しようとする課題】
【０００６】
このカメラ本体２に液晶モニタ３を一体的に取付けてあると、ビデオカメラ本体２を撮影者から離した状態、即ち、撮影者の頭上に位置させて前方または後方を撮影する場合には、ビデオカメラ本体２に取付けた液晶モニタ３も該ビデオカメラ本体と共に頭上に位置するため、片手でビデオカメラ本体２を持ち上げ、該液晶モニタ３の角度を調整した後は、頭上に位置する液晶モニタ３を見上げてモニタしながら撮影を行うものであるが、頭上を見上げるという無理な姿勢を保ちながら撮影を続けなければならないという欠点があった。
【０００７】
本考案は、カメラ本体に液晶モニタを分離してコード線を用いて電気的に接続したもので、カメラ本体を撮影者の体から離した状態で撮影する場合でも、撮影者の手元に液晶モニタを位置して撮影できるようにしたビデオカメラを提供するものである。
【課題を解決するための手段】
【０００８】
請求項１の考案は、ビデオカメラ１１による撮影画像または再生画像をモニタできるようにした液晶モニタ１３をビデオカメラ本体１２に具えたビデオカメラにおいて、前記液晶モニタ１３と前記ビデオカメラ本体１２とを分離し、コード線１４を用いて電気的に接続してなることを特徴とする。
【０００９】
請求項２の考案は、ビデオカメラ１１による撮影画像または再生画像をモニタできるようにした液晶モニタ１３をビデオカメラ本体１２に具えたビデオカメラにおいて、前記液晶モニタ１３と前記ビデオカメラ本体１２とを分離し、コード線１４を用いて電気的に接続してなり、前記コード線はその端部に巻取装置１４ａまたは１４ｂを具えて余分な長さのコード線１４を前記巻取装置に巻取って長さを調節できるようにしてあることを特徴とするものである。
【００１０】
請求項３の考案は、ビデオカメラ１１による撮影画像または再生画像をモニタできるようにした液晶モニタ１３をビデオカメラ本体１２に具えたビデオカメラにおいて、前記液晶モニタ１３と前記ビデオカメラ本体１２とを分離し、コード線１４を用いて電気的に接続してなり、前記液晶モニタ１３の分離液晶モニタ部２０には、電源の入切、ズーム操作、その他の撮影操作を行うリモートスイッチ１８を設けて手元でモニタとともにビデオ操作を行えるようにしてあることを特徴とする。
【００１１】
ビデオカメラ本体１２を上方に持ち上げ、或は、ビデオカメラ本体の下部に連結した脚部７を持ってカメラ本体１２を持ち上げて人ごみの中で撮影する場合に、人々の頭上にビデオカメラ本体１２を位置させるため、良好な撮影ポジションを得ることができる。そして、このビデオカメラ本体１２と液晶モニタ１３とをコード線１４で電気的に接続してあるため、撮影者は手元に位置した該液晶モニタで画像をモニタしながら最適な状態で撮影することができる。さらに、このコード線１４の端部には公知の巻取装置１４ａまたは１４ｂを有してあれば、余分な長さのコード線１４を巻き取ることができるので該コード線が長すぎて邪魔になることはない。このコード線１４の巻き取りは、カメラ本体側で行ってもよいし、また、分離液晶モニタ部２０で行ってもよい。
【００１２】
コード線１４の一端に設けた巻取装置１４ａは分離液晶モニタ部２０に設けてあれば、撮影者の手元に位置する該分離液晶モニタ部側でコード線１４を巻き取って余分なコード線を巻き込むことが出来て便利である。しかし、ビデオカメラ本体を撮影者の手元で使用する場合には、分離液晶モニタ部２０に設けてリモート操作部１８を使用せずに、該カメラ本体に設けた操作スイッチ部８を操作するのが便利である。このように必要に応じて操作スイッチ部２４を使用したり、リモート操作部１８を使用することができるので便利である。
【００１３】
撮影者は上方に位置する液晶モニタ１３を見上げてモニタすると、上方に位置する液晶モニタ１３を見上げていると当然足元を見ることができなくなるので、例えば、ビデオカメラ本体１２を前方に向けて歩行しながら撮影することは不可能である。また、ビデオカメラ本体１２を後方に向けて、撮影者が前方を向いて或は前進しながら後方を撮影することは不可能である。しかし、液晶モニタ１３をビデオカメラ本体１２から外した場合には、撮影者は頭上に位置する液晶モニタ１３を見上げる必要はなく、手元に位置する該液晶モニタを見ることができるので長時間液晶モニタを見ながら撮影しても疲労せずに撮影することができる。
【００１４】
このビデオカメラ本体１２と液晶モニタ１３とをコード線１４を用いて電気的に接続してあるのでり、ワイヤレス方式でビデオカメラ本体と液晶カメラとを接続していないため遮蔽物などによる影響を受けることがなくて取り扱いが便利である。また、ワイヤレス方式などの特殊な装置を使用しないので、その分、構造を簡略化してコストダウンを図ることができる。
【００１５】
この液晶モニタ１３を具備した分離液晶モニタ部２０に、電源の入切、撮影又は再生切換スイッチ、ズーム操作などのビデオ撮影用の各種スイッチ群からなるリモートスイッチ１８を設けてあるので、撮影者の頭上に持ち上げたビデオカメラ本体１２を下方に下げることなく、該分離液晶モニタ部２０に設けたリモート操作部１８を操作することにより、ビデオ撮影又は再生などの切換え操作を手元で簡単に行うことができて便利である。
【考案の効果】
【００１６】
本考案は、コード線１４を用いてビデオカメラ本体１２と液晶モニタ１３とを分離させた状態で撮影又はモニタすることができるので、撮影者は人ごみの中などでビデオカメラ本体１２を上方に持ち上げて良好な撮影ポジションを得ると共に、該ビデオカメラ本体とコ−ド線１４で電気的に接続した手元に位置する分離液晶モニタ部２０に設けた液晶モニタ１３によって画像を見ることができるので、撮影者は頭上を見上げながら撮影するという無理な姿勢をとることがなくなり、撮影者は楽な姿勢で前方及び後方の被写体を撮影することができる。そのため比較的長い時間連続して撮影することも可能になるという利点がある。
【００１７】
ビデオカメラ本体１２と液晶モニタ１３とを電気的に接続するコード線１４の何れかの端部、即ち、ビデオカメラ本体１２あるいは分離液晶モニタ部２０に、公知の巻取装置１４ａまたは１４ｂを設けてあれば、余分なコード線１４は巻き込んで撮影の邪魔にならないように調節することができるため、撮影者はコード線を気にすることなく安心して撮影することができる。
【００１８】
カメラ本体１２から分離させて液晶モニタ１３を具えた分離液晶モニタ部に、電源の切入、ズーム操作などのスイッチ群からなるリモート操作部１８を操作して手元で液晶モニタ１３をモニタすると共に、ビデオカメラ１１を操作することができる。液晶モニタ１３を手元に位置してモニタできるので、撮影者は従来の液晶モニタ一体型のビデオカメラの液晶モニタを見上げる必要がなく、そのため足元部分を見ながら撮影することができるので、前方に移動しながらでも前方および後方を撮影することが可能である。
【考案を実施するための最良の形態】
【００１９】
本考案の実施形態を図面により説明すると、図３はビデオカメラ本体と液晶モニタとをコードで電気的に接続した説明図、図４はビデオカメラ本体を上方に持ち上げて前方を撮影する状態を示す説明図、図５はビデオカメラ本体を上方に持ち上げて後方を撮影する状態を示す説明図である。
１１はビデオカメラ本体で、前方に被写体の画像を結像させるレンズ部１５を設け、このレンズ部１５の後方に位置させて画像の撮影範囲を確認するファインダー部１６を設けてある。このビデオカメラ本体１１の前面上方にレンズ部１６を設けてあり、その下側に夜間など暗闇での撮影を行う場合に光を発光する発光部１７や音声を録音するための音声マイク１９を設けてある。２４はビデオカメラ本体１２の側面に設けた電源の入切、ズーム操作の切換、撮影又は再生の切換えなどのスイッチ群からなる操作スイッチ部である。
【００２０】
このビデオカメラ本体１１は、液晶モニタ１３を具えた分離液晶モニタ部体２０をコード線１４により電気的に接続して撮影者の手元部分に位置させてある。この分離液晶モニタ部２０の上方、側方或は下方部分のいずれかの位置に複数のスイッチ群からなるリモート操作部１８を設けてあり、このリモート操作部１８に設けた、例えば、電源・撮影スイッチやズーム切換スイッチなどの各種操作スイッチを操作して撮影を開始したり又は停止することができる。
【００２１】
撮影中に、必要ならズーム操作する場合も分離液晶モニタ部２０に設けたリモート操作部１８に存するズーム操作用のスイッチを操作することにより、撮影者は撮影をしながら手元でズーム操作をを簡単に行うことができ、撮影者は頭上を見上げてモニタすることなく手元に位置するリモート操作部１８を操作することにより迫力のある映像を撮影することができる。
【００２２】
手元に位置したビデオカメラ本体１２を操作する場合は、該ビデオカメラ本体に設けた操作スイッチ部２４を操作すればよいが、撮影者から離れた頭上にビデオカメラ本体１２が位置する場合には、撮影者の手元に位置する分離液晶モニタ部２０に設けたリモート操作部１８を操作すれば、該ビデオカメラ本体を手元まで下げて該カメラ本体１２に設けてある操作部８を操作することなく、該リモート操作部１８を手元で簡単に操作することが出来て撮影に極めて便利である。
【図面の簡単な説明】
【００２３】
【図１】従来のビデオカメラを示すもので、液晶モニタをカメラ本体に回動可能に取付けた状態の斜視図である。
【図２】従来のビデオカメラを示すもので、液晶モニタで被写体をモニタしながら撮影する状態を示した斜視図である。
【図３】液晶モニタを分離してコード線で接続したビデオカメラの説明図である。
【図４】人ごみの頭上に位置させたビデオカメラで前方を撮影する説明図である。
【図５】人ごみの頭上に位置させたビデオカメラで後方を撮影する説明図である。
【符号の説明】
【００２４】
１１      ビデオカメラ
１２      ビデオカメラ本体
１３      液晶モニタ
１４      コード線
１４ａ    巻取装置
１４ｂ    巻取装置
１８      リモート操作部
２０      分離液晶モニタ部
２４      操作スイッチ部
【図１】
0003106077.tif 000003
【図２】
0003106077.tif 000004
【図３】
0003106077.tif 000005
【図４】
0003106077.tif 000006
【図５】
0003106077.tif 000007